(57)【要約】【課題】周辺機器で消費される消耗品の購入先情報を所定の提供方法で提供可能な適合プログラムで所望の消耗品の購入先情報が提供されるようにする。【解決手段】プリンタドライバをインストールした後に（Ｓ１００）、プリンタを販売した販売店が運営する販売サイトのＵＲＬなどからなる販売店情報を購入先情報取得用ディスクから読み込んで（Ｓ１２０）、プリンタドライバで使用できるようにレジストリに登録する（  Ｓ１３０）。プリンタドライバは、インク残量が少なくなったときにインクの注文ボタンが表示された警告画面を表示し、ユーザがこの画面から注文ボタンを操作したときに、レジストリに登録されたＵＲＬを用いて販売店の販売サイトを表示する。【選択図】        図３
2004341621.tif 000002
【特許請求の範囲】
【請求項１】
消耗品の消費を伴う周辺機器をコンピュータに適合させると共に該周辺機器で消費される消耗品の購入先情報を所定の提供方法で提供可能な適合プログラムをコンピュータにインストールするインストール方法であって、
（ａ）前記適合プログラムが記憶された第１の記憶媒体から該記憶された適合プログラムを読み込んでコンピュータにインストールし、
（ｂ）前記購入先情報が記憶された第２の記憶媒体から該記憶された購入先情報を読み込んで前記インストールされた適合プログラムに使用可能に付加する
インストール方法。
【請求項２】
前記ステップ（ｂ）は、前記第２の記憶媒体をコンピュータにセットするよう要請し、該要請に伴って前記第２の記憶媒体がコンピュータにセットされた後に前記購入先情報を読み込んで付加するステップである請求項１記載のインストール方法。
【請求項３】
前記ステップ（ｂ）は、前記購入先情報を前記インストールされた適合プログラムのレジストリに書き込むことにより付加するステップである請求項１または２記載のインストール方法。
【請求項４】
前記購入先情報は、前記周辺機器を販売した販売店から消耗品を購入するための情報である請求項１ないし３いずれか記載のインストール方法。
【請求項５】
前記第２の記憶媒体は、前記周辺機器を販売する販売店により提供される媒体である請求項１ないし４いずれか記載のインストール方法。
【請求項６】
前記購入先情報は、消耗品を購入可能な販売店が管理する販売サイトのＵＲＬ，消耗品の購入用の販売店への電子メールを送信するための情報，販売店のＦＡＸ番号が記載された消耗品の購入用の文書を印刷するための情報，消耗品を購入可能な販売店の電話番号のいずれかを含む情報である請求項１ないし４いずれか記載のインストール方法。
【請求項７】
前記所定の提供方法は、前記周辺機器の使用状態の表示に伴って提供する方法である請求項１ないし６いずれか記載のインストール方法。
【請求項８】
請求項１ないし７いずれか記載のインストール方法であって、
前記周辺機器は、プリンタであり、
前記適合プログラムは、プリンタドライバであり、
前記消耗品は、記録剤である
インストール方法。
【請求項９】
コンピュータに、請求項１ないし８いずれか記載のインストール方法の各ステップを各手順として実行させるプログラム。
【請求項１０】
請求項１ないし８いずれか記載のインストール方法によりコンピュータにインストールされた前記適合プログラムに付加された購入先情報を変更する購入先情報変更方法であって、
（ｃ）変更するための購入先情報を受け付け、
（ｄ）該受け付けた購入先情報を前記適合プログラムに付加された購入先情報に代えて付加する
購入先情報変更方法。
【請求項１１】
前記ステップ（ｃ）は、前記変更するための購入先情報が記憶された第３の記憶媒体から該購入先情報を読み込んで付加するステップである請求項１０記載の購入先情報変更方法。
【請求項１２】
前記ステップ（ｃ）は、前記第３の記憶媒体をコンピュータにセットするよう要請し、該要請に伴って前記第３の記憶媒体がコンピュータにセットされた後に前記購入先情報を読み込んで付加するステップである請求項１１記載の購入先情報変更方法。
【請求項１３】
請求項１１または１２記載の購入先情報変更方法であって、
前記第３の記憶媒体は、複数の購入先情報が記憶された媒体であり、
前記ステップ（ｃ）は、前記第３の記憶媒体に記憶された前記複数の購入先情報のうち選択された購入先情報を読み込んで付加するステップである
購入先情報変更方法。
【請求項１４】
コンピュータに、請求項１０ないし１３いずれか記載の購入先情報変更方法のステップを手順として実行させるプログラム。
【発明の詳細な説明】
【０００１】
【発明の属する技術分野】
本発明は、インストール方法および購入先情報変更方法並びにこれらに用いるプログラムに関し、詳しくは、消耗品の消費を伴う周辺機器をコンピュータに適合させると共に該周辺機器で消費される消耗品の購入先情報を所定の提供方法で提供可能な適合プログラムをコンピュータにインストールするインストール方法およびこうしたインストール方法によりコンピュータにインストールされた適合プログラムに付加された購入先情報を変更する購入先情報変更方法並びにこれらの方法に用いるプログラムに関する。
【０００２】
【従来の技術】
従来、この種のプリンタドライバとしては、インクジェットプリンタのインクの残量が少なくなったときにコンピュータに接続されたモニタに表示されたプリンタのステータス画面にインクを購入するための情報を提供するものが提案されている（例えば、特許文献１参照）。このプリンタドライバでは、インクをネット販売する複数の販売サイトのＵＲＬやインクを販売する全国の販売店の住所などのインクを購入するための情報をネットワークを介してコンピュータに接続されたサーバから取得してモニタに表示する。
【０００３】
【特許文献１】
特開２００２−１２３３８４号公報（図３）
【０００４】
【発明が解決しようとする課題】
しかしながら、こうしたプリンタドライバでは、インクをネット販売する複数の販売サイトのＵＲＬやインクを販売する全国の販売店の住所などをサーバから取得して提供するが、多数の販売サイトのＵＲＬや販売店の住所が表示されるから、ユーザは、いずれの販売サイトや販売店で購入するかを選択しなければならない。この際、ユーザによっては、プリンタを購入する際に相談に乗ってくれた販売店が運営する販売サイトで購入したいという要望があったとしても、多数の販売サイトのＵＲＬから目的の販売サイトを見つけ出すのが困難な場合も生じる。こうした問題は、プリンタだけでなく、消耗品の消費を伴う周辺機器であれば同様に生じる。
【０００５】
本発明のインストール方法および購入先情報変更方法は、消耗品の消費を伴う周辺機器をコンピュータに適合させると共にこの周辺機器で消費される消耗品の購入先情報を所定の提供方法で提供可能な適合プログラムで所望の消耗品の購入先情報が提供されるようにすることを目的とする。本発明のプログラムは、コンピュータに、消耗品の消費を伴う周辺機器をコンピュータに適合させると共にこの周辺機器で消費される消耗品の購入先情報を所定の提供方法で提供する適合プログラムをインストールすると共にその適合プログラムにより提供される購入先情報として所望の購入先情報が提供されるようにすることを目的とする。
【０００６】
【課題を解決するための手段およびその作用・効果】
本発明のインストール方法および購入先情報変更方法並びにこれらに用いるプログラムは、上述の目的の少なくとも一部を達成するために以下の手段を採った。
【０００７】
本発明のインストール方法は、
消耗品の消費を伴う周辺機器をコンピュータに適合させると共に該周辺機器で消費される消耗品の購入先情報を所定の提供方法で提供可能な適合プログラムをコンピュータにインストールするインストール方法であって、
（ａ）前記適合プログラムが記憶された第１の記憶媒体から該記憶された適合プログラムを読み込んでコンピュータにインストールし、
（ｂ）前記購入先情報が記憶された第２の記憶媒体から該記憶された購入先情報を読み込んで前記インストールされた適合プログラムに使用可能に付加する
ことを要旨とする。
【０００８】
この本発明のインストール方法によれば、消耗品の消費を伴う周辺機器をコンピュータに適合させると共に周辺機器で消費される消耗品の購入先情報を所定の提供方法で提供可能な適合プログラムを第１の記憶媒体から読み込んでコンピュータにインストールし、購入先情報を第２の記憶媒体から読み込んでインストールされた適合プログラムに使用可能に付加するから、適合プログラムが消耗品の購入先情報を所定の提供方法で提供する際には、第２の記憶媒体から読み込んだ購入先情報を提供することができる。したがって、所望の購入先情報を記憶させた第２の記憶媒体を用いることにより、適合プログラムに所望の購入先情報を提供させることができる。
【０００９】
ここで、「購入先情報」としては、前記周辺機器を販売した販売店から消耗品を購入するための情報であるものとすることもできる。また、「購入先情報」としては、消耗品を購入可能な販売店が管理する販売サイトのＵＲＬ，消耗品の購入用の販売店への電子メールを送信するための情報，販売店のＦＡＸ番号が記載された消耗品の購入用の文書を印刷するための情報，消耗品を購入可能な販売店の電話番号のいずれかを含む情報であるものとすることもできる。「第２の記憶媒体」としては、前記周辺機器を販売する販売店により提供される媒体であるものとすることもできる。「所定の提供方法」としては、前記周辺機器の使用状態の表示に伴って提供する方法であるものとすることもできる。
【００１０】
こうした本発明のインストール方法において、前記ステップ（ｂ）は前記第２の記憶媒体をコンピュータにセットするよう要請し、該要請に伴って前記第２の記憶媒体がコンピュータにセットされた後に前記購入先情報を読み込んで付加するステップであるものとすることもできるし、前記ステップ（ｂ）は前記購入先情報を前記インストールされた適合プログラムのレジストリに書き込むことにより付加するステップであるものとすることもできる。
【００１１】
また、本発明のインストール方法において、前記周辺機器はプリンタであり、前記適合プログラムはプリンタドライバであり、前記消耗品は記録剤であるものとすることもできる。
【００１２】
本発明のインストール方法用のプログラムは、コンピュータに、上述のいずれかの態様の本発明のインストール方法、即ち、基本的には、消耗品の消費を伴う周辺機器をコンピュータに適合させると共に該周辺機器で消費される消耗品の購入先情報を所定の提供方法で提供可能な適合プログラムをコンピュータにインストールするインストール方法であって、（ａ）前記適合プログラムが記憶された第１の記憶媒体から該記憶された適合プログラムを読み込んでコンピュータにインストールし、（ｂ）前記購入先情報が記憶された第２の記憶媒体から該記憶された購入先情報を読み込んで前記インストールされた適合プログラムに使用可能に付加する、インストール方法の各ステップを各手順として実行させることを要旨とする。
【００１３】
この本発明のインストール方法用のプログラムによれば、コンピュータに、上述のいずれかの態様の本発明のインストール方法の各ステップを各手順として実行させるから、本発明のインストール方法が奏する効果、例えば、適合プログラムが消耗品の購入先情報を所定の提供方法で提供する際には第２の記憶媒体から読み込んだ購入先情報を提供することができる効果や所望の購入先情報を記憶させた第２の記憶媒体を用いることにより適合プログラムに所望の購入先情報を提供させることができる効果などと同様な効果を奏することができる。
【００１４】
本発明の購入先情報変更方法は、上述のいずれかの態様の本発明のインストール方法、即ち、基本的には、消耗品の消費を伴う周辺機器をコンピュータに適合させると共に該周辺機器で消費される消耗品の購入先情報を所定の提供方法で提供可能な適合プログラムをコンピュータにインストールするインストール方法であって、（ａ）前記適合プログラムが記憶された第１の記憶媒体から該記憶された適合プログラムを読み込んでコンピュータにインストールし、（ｂ）前記購入先情報が記憶された第２の記憶媒体から該記憶された購入先情報を読み込んで前記インストールされた適合プログラムに使用可能に付加する、インストール方法によりコンピュータにインストールされた前記適合プログラムに付加された購入先情報を変更する購入先情報変更方法であって、
（ｃ）変更するための購入先情報を受け付け、
（ｄ）該受け付けた購入先情報を前記適合プログラムに付加された購入先情報に代えて付加する
ことを要旨とする。
【００１５】
この本発明の購入先情報変更方法によれば、変更するための購入先情報を受け付けて適合プログラムに付加された購入先情報に代えて付加するから、適合プログラムが消耗品の購入先情報を所定の提供方法で提供する際には、受け付けた購入先情報を提供することができる。したがって、所望の購入先情報を受け付けさせることにより、適合プログラムに所望の購入先情報を提供させることができる。
【００１６】
こうした本発明の購入先情報変更方法において、前記ステップ（ｃ）は、前記変更するための購入先情報が記憶された第３の記憶媒体から該購入先情報を読み込んで付加するステップであるものとすることもできる。こうすれば、適合プログラムによって第３の記憶媒体から読み込んだ購入先情報を消耗品の購入先情報として提供することができる。したがって、所望の購入先情報を記憶させた第３の記憶媒体を用いることにより、適合プログラムに所望の購入先情報を提供させることができる。
【００１７】
この第３の記憶媒体を用いる態様の本発明の購入先情報変更方法において、前記ステップ（ｃ）は、前記第３の記憶媒体をコンピュータにセットするよう要請し、該要請に伴って前記第３の記憶媒体がコンピュータにセットされた後に前記購入先情報を読み込んで付加するステップであるものとすることもできる。
【００１８】
また、第３の記憶媒体を用いる態様の本発明の購入先情報変更方法において、前記第３の記憶媒体は複数の購入先情報が記憶された媒体であり、前記ステップ（ｃ）は前記第３の記憶媒体に記憶された前記複数の購入先情報のうち選択された購入先情報を読み込んで付加するステップであるものとすることもできる。こうすれば、第３の記憶媒体に記憶された複数の購入先情報のうち所望の購入先情報を適合プログラムに付加することができる。この結果、所望の購入先情報を適合プログラムに提供させることができる。
【００１９】
本発明の購入先情報変更方法用のプログラムは、コンピュータに、上述したいずれかの態様の本発明の購入先情報変更方法、即ち、基本的には、消耗品の消費を伴う周辺機器をコンピュータに適合させると共に該周辺機器で消費される消耗品の購入先情報を所定の提供方法で提供可能な適合プログラムをコンピュータにインストールする本発明のインストール方法によりコンピュータにインストールされた前記適合プログラムに付加された購入先情報を変更する購入先情報変更方法であって、（ｃ）変更するための購入先情報を受け付け、（ｄ）該受け付けた購入先情報を前記適合プログラムに付加された購入先情報に代えて付加する購入先情報変更方法のステップを手順として実行させることを要旨とする。
【００２０】
この本発明の購入先情報変更方法用のプログラムによれば、コンピュータに、上述のいずれかの態様の本発明の購入先情報変更方法のステップを手順として実行させるから、本発明の購入先情報変更方法が奏する効果、例えば、適合プログラムが消耗品の購入先情報を所定の提供方法で提供する際には受け付けた購入先情報を提供することができる効果や所望の購入先情報を受け付けさせることにより適合プログラムに所望の購入先情報を提供させることができる効果などと同様な効果を奏することができる。
【００２１】
【発明の実施の形態】
次に、本発明の実施の形態を実施例を用いて説明する。図１は、本発明の一実施例であるインストール方法を適用するコンピュータシステム２０の構成の一例を示す構成図である。コンピュータシステム２０は、図示しないＣＰＵを中心として構成され、ＣＲ−ＲＯＭドライブ２２ａを有するコンピュータ本体２２とキーボード２４とマウス２５とディスプレイ２６とを備えており、図示の状態は、これから購入したプリンタ３０を接続してセットアップしようとしている状態である。
【００２２】
購入したプリンタ３０を梱包した箱には、プリンタ３０とコンピュータ本体２２とを接続するためのプリンタケーブル３２が同梱されている他に、プリンタドライバ４２やセットアッププログラム４４を記憶した「ディスク１」と表示されたセットアップ用ディスク４０や、プリンタ３０を販売した販売店情報５２を記憶した「ディスク２」と表示された購入先情報取得用ディスク５０、購入先情報を変更するための情報変更プログラム６２や変更用情報６４を記憶した「ディスク３」と表示された情報変更用ディスク６０などが同梱されている。実施例では、「ディスク１」と表示されたセットアップ用ディスク４０と「ディスク３」と表示された情報変更用ディスク６０についてはプリンタ３０を製造したメーカーにより同梱され、「ディスク２」と記載された購入先情報取得用ディスク５０についてはプリンタ３０を販売する販売店により同梱される。
【００２３】
実施例のプリンタドライバ４２は、プリンタ３０をコンピュータシステム２０に適合させるだけでなく、プリンタ３０の状態（例えば、インクの残量）を読み込んで表示したり、インク残量が少ないときには警告を発すると共にインクカートリッジの発注を促したりする。
【００２４】
図２は、購入先情報取得用ディスク５０に記憶される販売店情報５２の一例を示す説明図である。実施例では、販売店情報５２としては、販売店のＩＤや販売店名，販売店が運営している販売サイトのインクカートリッジを販売するページのＵＲＬ，販売店の住所，販売店におけるインクカートリッジの電話注文を受け付ける部署の電話番号，販売店におけるインクカートリッジのＦＡＸ注文を受け付ける部署のＦＡＸ番号，販売店におけるインクカートリッジのメール注文を受け付ける部署のメールアドレスなどが含まれる。上述したように、購入先情報取得用ディスク５０についてはプリンタ３０を販売する販売店により同梱されるから、販売店毎に異なる購入先情報取得用ディスク５０が調製されてプリンタ３０に同梱されることになる。なお、こうした販売店情報５２は、プリンタ３０で使用しているインクカートリッジのいずれかがその残量が少なくなったときに、インストールされたプリンタドライバ４２によるインクカートリッジの発注の際に用いられる。こうした販売店情報５２の使用については後述する。
【００２５】
次に、プリンタ３０をプリンタケーブル３２によりコンピュータシステム２０に接続し、セットアップ用ディスク４０をコンピュータシステム２０のＣＲ−ＲＯＭドライブ２２ａにセットしてコンピュータ本体２２にプリンタドライバ４２をインストールする際の処理について説明する。図３は、セットアッププログラム４４がコンピュータ本体２２に読み込まれて実行される際のセットアップ処理の一例を示すフローチャートである。このセットアップ処理が実行されると、コンピュータシステム２０は、まず、セットアップ用ディスク４０からプリンタドライバ４２を読み込んで適合するようにプリンタドライバ４２をインストールする処理を実行する（ステップＳ１００）。このプリンタドライバ４２のインストールは通常に行なわれているインストールと同様であるので、その詳細な説明は省略する。
【００２６】
プリンタドライバ４２のインストールを終了すると、図４に例示するインフォメーション画面を表示して、「ディスク２」と表示された購入先情報取得用ディスク５０をコンピュータ本体２２のＣＲ−ＲＯＭドライブ２２ａに入れ替えるよう要請する（ステップＳ１１０）。ユーザにより購入先情報取得用ディスク５０がＣＲ−ＲＯＭドライブ２２ａにセットされて［次へ］ボタンが押されると、購入先情報取得用ディスク５０に記憶された販売店情報５２を読み込み（ステップＳ１２０）、この読み込んだ販売店情報５２をインストールされたプリンタドライバ４２によりインクの発注の際に用いることができるようレジストリに登録する（ステップＳ１３０）。そして、プリンタドライバ４２のインストールが終了した旨のメッセージを表示して（ステップＳ１４０）、セットアップ処理を終了する。
【００２７】
次に、コンピュータシステム２０にインストールされたプリンタドライバ４２によりインクの発注の様子について説明する。図５は、カラーインク「Ｙｅｌｌｏｗ」の残量が残り少なくなったときにプリンタドライバ４２によりコンピュータシステム２０のディスプレイ２６に表示される警告画面の一例を示す説明図である。この図５の例では、インク残量が少なくなったときの対処方法などのインフォメーションが表示される他、インク残量については各インク毎にパーセントによる数値表示と絵表示とによって表示される。そして、インク残量が少ないインクについては残量が少ないことを示すマークが付される。また、この図５の例では、「インク発注」ボタンが設けられている。この「インク発注」ボタンを押すと、プリンタドライバ４２は、図６に例示するインク発注画面をディスプレイ２６に表示する。図示するように、インク発注画面には、各インク毎にその残量（インク残量）とインクの型番とインクを発注するための情報（インク発注情報）とが表示される。
【００２８】
また、インク発注画面の最下部には、インクを発注する方法毎のボタン、即ち「Ｗｅｂ」発注ボタンや「Ｆａｘ発注」ボタン，「電話発注」ボタン，「メール発注」ボタンが表示される。図２のセットアップ処理でレジストリに登録された販売店情報５２は、こうしたインクを発注する方法毎のボタンが操作されたときに用いられる。例えば、「Ｗｅｂ」発注ボタンが押されたときには、レジストリに登録された販売店情報５２のうちの販売店が運営している販売サイトのインクカートリッジを販売するページのＵＲＬを用いてインターネット上の対応するページ、例えば図７に示すようなインクカートリッジを販売するサイトのページを表示してウェブ上でインクの注文ができるようにする。また、「Ｆａｘ発注」ボタンが押されたときには、レジストリに登録された販売店情報５２のうちの販売店名や販売店におけるインクカートリッジのＦＡＸ注文を受け付ける部署のＦＡＸ番号を用いてこの販売店名やＦＡＸ番号が組み込まれた図８に例示するようなインクカートリッジの注文用紙をプリンタ３０で印刷し、この注文用紙を用いてインクの注文ができるようにする。「電話発注」ボタンが押されたときには、レジストリに登録された販売店情報５２のうちの販売店名と販売店におけるインクカートリッジの電話注文を受け付ける部署の電話番号とをディスプレイ２６に表示して電話によってインクの注文ができるようにし、「メール発注」ボタンが選択されたときには、レジストリに登録された販売店情報５２のうちの販売店名と販売店におけるインクカートリッジのメール注文を受け付ける部署のメールアドレスとを用いてメールによってインクの注文ができるようにする。なお、電話注文の画面とメール注文の画面については図８のＦＡＸ注文と同様なので省略する。
【００２９】
次に、プリンタドライバ４２をインストールする際にレジストリに登録した販売店情報５２を変更する際の処理について説明する。図９は、購入先情報変更処理の一例を示すフローチャートである。この処理は、コンピュータシステム２０のＣＲ−ＲＯＭドライブ２２ａに情報変更用ディスク６０がセットされ、情報変更プログラム６２が実行されたときに行なわれる。この購入先情報変更処理では、まず、情報変更画面を表示して（ステップＳ２００）、購入先の販売店情報５２を入力する処理を実行する（ステップＳ２１０）。情報変更画面の一例を図１０に示す。この図１０の例の情報変更画面では、情報変更用ディスク６０の変更用情報６４としてメーカーのデフォルトの販売店情報や種々の販売店の販売店情報が参照され、図示するように、「メーカーのデフォルト」や「ＡＢＣ販売店」，「ＸＹＺ販売店」などを選択入力することにより情報変更用ディスク６０から対応する販売店情報５２を読み込んで入力することができるようになっている。購入先の販売店情報５２が入力されると、この読み込んだ販売店情報５２をレジストリに登録されている販売店情報に代えて登録し（ステップＳ２２０）、購入先の情報が変更された旨の終了メッセージを表示して（ステップＳ２３０）、本購入先情報変更処理を終了する。
【００３０】
こうしてプリンタドライバ４２によりインクの発注の際に用いる販売店情報５２を変更することにより、図６に例示したインク発注画面のインク発注用の各ボタンを押したときの購入先が変更される。即ち、販売店情報５２がＡＢＣ販売店の情報からＸＹＺ販売店の情報に変更されたときには、インク発注画面で「Ｗｅｂ」発注ボタンが押されたときには、変更される前までＡＢＣ販売店が運営する販売サイトのインクカートリッジを販売するページが表示されていたものを変更後はＸＹＺ販売店が運営する販売サイトのインクカートリッジを販売するページを表示し、「Ｆａｘ発注」ボタンが押されたときには、変更される前までＡＢＣ販売店の名やＦＡＸ番号を組み込んだ注文用紙をプリンタ３０で印刷していたものを変更後はＸＹＺ販売店の名やそのＦＡＸ番号を組み込んだ注文用紙をプリンタ３０で印刷するのである。
【００３１】
以上説明した実施例のプリンタドライバ４２のインストール方法およびその際に用いられるセットアッププログラム４４によれば、プリンタ３０のインク残量が少なくなったときにインクを注文する際の購入先の情報として購入先情報取得用ディスク５０に記憶された販売店情報５２をレジストリに登録するから、インク残量が少なくなったことによりユーザがインクを注文する際に、プリンタ３０を販売した販売店が運営する販売サイトのページを表示したり、販売店のＦＡＸ番号が組み込まれた注文用紙を印刷したりすることができる。この結果、販売店に、プリンタ３０を販売することにより、販売したプリンタ３０で消費されるインクの販売について期待を持たせることができる。
【００３２】
また、実施例の販売店情報５２を変更する方法およびその際に用いられる情報変更プログラム６２によれば、変更する販売店情報５２を入力してレジストリに登録されている販売店情報５２に代えて登録するから、所望の販売店の販売店情報をレジストリに登録することができる。この結果、インク残量が少なくなったことによりユーザがインクを注文する際に、所望の販売店が運営する販売サイトのページを表示したり、その販売店のＦＡＸ番号が組み込まれた注文用紙を印刷したりすることができる。
【００３３】
ここで、実施例のインストール方法では、図３のセットアップ処理のステップＳ１００のプリンタドライバ４２のインストール処理が第１の記憶媒体に記憶された適合プログラムを読み込んでコンピュータにインストールするステップ（ａ）に相当し、同じくセットアップ処理のステップＳ１１０〜Ｓ１３０の購入先情報取得用ディスク５０から販売店情報５２を読み込んでレジストリに登録する処理が第２の記憶媒体に記憶された購入先情報を読み込んでインストールされた適合プログラムに使用可能に付加するステップ（ｂ）に相当する。
【００３４】
また、実施例の販売店情報５２を変更する方法では、図９の購入先情報変更処理のステップＳ２１０の販売店情報５２を選択入力する処理が変更するための購入先情報を受け付けるステップ（ｃ）に相当し、同じく購入先情報変更処理のステップＳ２２０の入力した販売店情報５２をレジストリに登録されている販売店情報５２に代えて登録する処理が受け付けた購入先情報を適合プログラムに付加された購入先情報に代えて付加するステップ（ｄ）に相当する。
【００３５】
実施例では、販売店情報５２として、販売店が運営している販売サイトのＵＲＬや販売店の電話番号，販売店のＦＡＸ番号，販売店のメールアドレスを含ませ、ユーザがインクを注文する際にプリンタ３０を販売した販売店の販売サイトを表示したり、販売店のＦＡＸ番号が組み込まれた注文用紙を印刷したり、販売店の電話番号をディスプレイ２６に表示したり、販売店に送付するインクの注文用のメールを作成するものとしたが、インクの注文手法はこれら販売サイトやＦＡＸ，電話，メールのすべてを含む必要はなく、これらの手法の一つだけとしたり、これらの手法のいずれか二つまたは三つの組み合わせとするものとしてもよい。
【００３６】
実施例では、情報変更プログラム６２や変更用情報６４をセットアップ用ディスク４０とは異なる情報変更用ディスク６０に記憶させるものとしたが、情報変更プログラム６２や変更用情報６４をプリンタドライバ４２やセットアッププログラム４４と同様にセットアップ用ディスク４０に記憶させるものとしてもよい。
【００３７】
実施例のセットアッププログラム４４や情報変更プログラム６２では、ＵＲＬやＦＡＸ番号，電話番号，メールアドレスなどを含む販売店情報５２を読み込んでレジストリに登録するものとしたが、ＵＲＬやＦＡＸ番号，電話番号，メールアドレスなどを個々に読み込んでレジストリに登録するものとしてもよい。
【００３８】
実施例の情報変更プログラム６２では、購入先を一覧表示される中から選択入力するものとしたが、ＵＲＬやＦＡＸ番号，電話番号，メールアドレスなどを逐次直接入力するものとしてもよい。
【００３９】
実施例では、プリンタ３０の消耗品としてインクに適用するものとしたが、レーザープリンタなどのようにトナーなどの他の記録剤に適用するものとしてもよい。また、実施例では、消耗品を消費するコンピュータの周辺機器としてプリンタ３０に適用するものとしたが、プリンタ以外の周辺機器に適用するものとしてもよい。
【００４０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】コンピュータシステム２０の構成の一例を示す構成図。
【図２】販売店情報５２の一例を示す説明図。
【図３】セットアップ処理の一例を示すフローチャート。
【図４】インフォメーション画面の一例を示す説明図。
【図５】警告画面の一例を示す説明図。
【図６】インク発注画面の一例を示す説明図。
【図７】ＡＢＣ販売店が運営するサイトのページの一例を示す説明図。
【図８】ＡＢＣ販売店にＦＡＸ送信する注文用紙の一例を示す説明図。
【図９】購入先情報変更処理の一例を示すフローチャート。
【図１０】購入先情報変更画面の一例を示す説明図。
【符号の説明】
２０  コンピュータシステム、２２  コンピュータ本体、２２ａ  ＣＲ−ＲＯＭドライブ、２４  キーボード、２５  マウス、２６  ディスプレイ、３０  プリンタ、３２  プリンタケーブル、４０  セットアップ用ディスク、４２  プリンタドライバ、５０  購入先情報取得用ディスク、５２  販売店情報、６０  情報変更用ディスク、６２  情報変更プログラム、６４  変更用情報。
【図１】
2004341621.tif 000003
【図２】
2004341621.tif 000004
【図３】
2004341621.tif 000005
【図４】
2004341621.tif 000006
【図５】
2004341621.tif 000007
【図６】
2004341621.tif 000008
【図７】
2004341621.tif 000009
【図８】
2004341621.tif 000010
【図９】
2004341621.tif 000011
【図１０】
2004341621.tif 000012